【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
プリインストールされたコンテンツの再生を制御するコンテンツ再生装置であって：
プリインストールされた複数の正規コンテンツから成る正規コンテンツ群と，前記正規コンテンツに対応する試用コンテンツから成る試用コンテンツ群と，を格納するコンテンツ記憶部と；
特定の前記正規コンテンツを再生するための正規ライセンスと，前記正規コンテンツ群に含まれる任意の１または２以上の前記正規コンテンツを再生するための仮ライセンスと，前記試用コンテンツ群に含まれる任意の１または２以上の前記試用コンテンツを再生するための試用ライセンスと，を格納可能なライセンス記憶部と；
前記仮ライセンスに応じた前記１または２以上の正規コンテンツの再生状況を示すステータス情報を記憶するステータス記憶部と；
前記ステータス記憶部のステータス情報を更新するステータス更新部と；
前記ライセンス記憶部に格納されたいずれかのライセンスに基づいて前記正規コンテンツおよび前記試用コンテンツの再生を制御する再生制御部と；
を備え，
前記再生制御部は，
前記試用ライセンスに基づいて前記試用コンテンツの再生を制御し；
前記正規ライセンスに基づいて前記正規コンテンツの再生を制御し；
前記仮ライセンスと，前記ステータス記憶部のステータス情報とに基づいて前記正規コンテンツの再生を制御することを特徴とする，コンテンツ再生装置。
【請求項２】
前記仮ライセンスには，再生可能な前記正規コンテンツの上限数を示す情報が含まれることを特徴とする，請求項１に記載のコンテンツ再生装置。
【請求項３】
前記ステータス情報には，再生された前記正規コンテンツの数を示す情報が含まれることを特徴とする，請求項２に記載のコンテンツ再生装置。
【請求項４】
前記再生制御部は，前記仮ライセンスから前記再生可能な正規コンテンツの上限数を取得し，前記ステータス記憶部から前記再生された正規コンテンツの数を取得し，該正規コンテンツの数が該上限数を超えていない場合には前記任意の正規コンテンツの再生を許可し，超えている場合には再生を制限することを特徴とする，請求項３に記載のコンテンツ再生装置。
【請求項５】
前記仮ライセンスには，１の前記正規コンテンツを利用可能な期間を示す情報が含まれることを特徴とする，請求項１に記載のコンテンツ再生装置。
【請求項６】
前記ステータス情報には，再生された前記正規コンテンツを前記正規コンテンツ群から一意に識別する識別子が含まれることを特徴とする，請求項５に記載のコンテンツ再生装置。
【請求項７】
前記ステータス情報には，前記再生された正規コンテンツの利用経過期間を示す情報が含まれ，
前記ステータス記憶部は，前記識別子と，該識別子によって識別される前記正規コンテンツの利用経過期間を示す情報と，を関連づけて記憶することを特徴とする，請求項６に記載のコンテンツ再生装置。
【請求項８】
前記再生制御部は，前記仮ライセンスから前記１の正規コンテンツを利用可能な期間を取得し，前記ステータス記憶部から前記正規コンテンツの利用経過期間を取得し，該利用経過期間が該利用可能な期間を超えていない場合には該利用経過期間と関連づけられている前記識別子によって識別される前記正規コンテンツの再生を許可することを特徴とする，請求項７に記載のコンテンツ再生装置。
【請求項９】
前記ステータス更新部は，前記仮ライセンスに応じた正規コンテンツの再生状況に基づいて前記ステータス記憶部のステータス情報を更新することを特徴とする，請求項１に記載のコンテンツ再生装置。
【請求項１０】
前記仮ライセンスがプリインストールされていることを特徴とする，請求項１に記載のコンテンツ再生装置。
【請求項１１】
前記試用ライセンスがプリインストールされていることを特徴とする，請求項１に記載のコンテンツ再生装置。
【請求項１２】
前記試用コンテンツは，前記正規コンテンツの所定の一部分であることを特徴とする，請求項１に記載のコンテンツ再生装置。
【請求項１３】
前記試用コンテンツは，前記正規コンテンツよりも低品質であることを特徴とする，請求項１に記載のコンテンツ再生装置。
【請求項１４】
前記正規ライセンスを発行するライセンス発行サーバから通信網を介して前記正規ライセンスを受信するライセンス受信部をさらに備え，
前記正規ライセンスは前記ライセンス受信部によって前記ライセンス発行サーバから取得されることを特徴とする，請求項１に記載のコンテンツ再生装置。
【請求項１５】
前記ステータス更新部は，前記ライセンス受信部によって取得された正規ライセンスの数に応じて，前記ステータス記憶部内の再生された前記正規コンテンツの数を示す情報を更新することを特徴とする，請求項１４に記載のコンテンツ再生装置。
【請求項１６】
前記試用コンテンツの再生履歴および／または前記仮ライセンスに応じた前記正規コンテンツの再生履歴を記憶する再生履歴記憶部をさらに備えることを特徴とする，請求項１に記載のコンテンツ再生装置。
【請求項１７】
前記再生履歴記憶部には，再生された前記試用コンテンツを前記試用コンテンツ群から一意に識別する識別子および／または再生された前記正規コンテンツを前記正規コンテンツ群から一意に識別する識別子が記憶され，
前記識別子によって識別される試用コンテンツに対応する正規コンテンツおよび／または前記識別子によって識別される正規コンテンツ以外の任意の正規コンテンツを前記コンテンツ記憶部から削除するコンテンツ更新部，をさらに備えることを特徴とする，請求項１６に記載のコンテンツ再生装置。
【請求項１８】
前記再生履歴記憶部に記憶されている再生履歴を外部サーバに送信する再生履歴送信部と，
前記送信した再生履歴に基づいてリコメンドされる１または２以上のコンテンツに関連するリコメンド情報を前記外部サーバから受信するリコメンド情報受信部と，
をさらに備えることを特徴とする，請求項１６に記載のコンテンツ再生装置。
【請求項１９】
前記リコメンド情報に基づいて前記リコメンドされる１または２以上のコンテンツを外部装置から取得するコンテンツ取得部をさらに備えることを特徴とする，請求項１８に記載のコンテンツ再生装置。
【請求項２０】
プリインストールされたコンテンツの再生を制御するコンテンツ再生装置をして：
特定の正規コンテンツを再生するための正規ライセンスに基づいて，コンテンツ記憶部に格納されている複数の正規コンテンツから成る正規コンテンツ群に含まれる前記特定の正規コンテンツの再生を制御する正規ライセンス利用再生制御処理と；
前記正規コンテンツ群に含まれる任意の１または２以上の前記正規コンテンツを再生するための仮ライセンスと，前記仮ライセンスに応じた前記１または２以上の正規コンテンツの再生状況を示すステータス情報が記憶されたステータス記憶部のステータス情報と，に基づいて前記正規コンテンツの再生を制御する仮ライセンス利用再生制御処理と；
前記正規コンテンツに対応する試用コンテンツから成る試用コンテンツ群に含まれる任意の１または２以上の前記試用コンテンツを再生するための試用ライセンスに基づいて前記試用コンテンツの再生を制御する試用ライセンス利用再生制御処理と；
前記仮ライセンス利用再生制御処理において前記任意の正規コンテンツの再生を許可した場合に前記ステータス記憶部のステータス情報を更新するステータス更新処理と；
を実行せしめることを特徴とする，コンピュータプログラム。
【請求項２１】
プリインストールされたコンテンツの再生を制御する方法であって：
特定の正規コンテンツを再生するための正規ライセンスに基づいて，複数の正規コンテンツから成る正規コンテンツ群に含まれる前記特定の正規コンテンツの再生を制御する正規ライセンス利用工程と；
前記正規コンテンツ群に含まれる任意の１または２以上の前記正規コンテンツを再生するための仮ライセンスと，前記仮ライセンスに応じた前記１または２以上の正規コンテンツの再生状況を示すステータス情報が記憶されたステータス記憶部のステータス情報と，に基づいて前記正規コンテンツの再生を制御する仮ライセンス利用工程と；
前記正規コンテンツに対応する試用コンテンツから成る試用コンテンツ群に含まれる任意の１または２以上の前記試用コンテンツを再生するための試用ライセンスに基づいて前記試用コンテンツの再生を制御する試用ライセンス利用工程と；
前記仮ライセンス利用工程において前記任意の正規コンテンツの再生を許可した場合に前記ステータス記憶部のステータス情報を更新するステータス更新工程と；
を任意の順序で含むことを特徴とする，コンテンツ再生制御方法。